(57)【要約】【課題】美容用ミスト器や吸入器として使用でき、ヘビーユース時にも余裕を持ってミストを供給できる大容量のタンクを備えている噴霧器を提供する。【解決手段】エアーポンプ１４と、モーター１５および電池１６と、ミストノズル１２と、タンク１３と、これらの各機器を収容する縦長筒状の本体ケース１とを有する。本体ケース１の前壁１ａの上部にミスト口３を開口し、その内側にミストノズル１２を配置する。本体ケース１の内部を区分壁２３で前室１Ａと後室１Ｂとに区分し、前室１Ａにタンク１３を収容する。後室１Ｂにエアーポンプ１４と、モーター１５と、電池１６を含む電装品部１７を記載順に配置する。タンク１３は、前室１Ａの殆どを占める状態で縦長に形成して、本体ケース１の外形に影響を与えることなく大容量化する。本体ケース１の後面の上部にグリップ部５を凹み形成し、グリップ部５の近傍にエアーポンプ１４およびモーター１５を配置する。【選択図】図１
2015051193.tif 000002
【特許請求の範囲】
【請求項１】
エアーポンプ（１４）と、同ポンプ（１４）を駆動するモーター（１５）および電池（１６）と、ミストノズル（１２）と、ミスト原液を収容するタンク（１３）と、これらの各機器を収容する筒状の本体ケース（１）とを備えている噴霧器であって、
本体ケース（１）の前壁（１ａ）の上部にミスト口（３）が開口され、ミスト口（３）の内側にミストノズル（１２）が配置されており、
本体ケース（１）の内部の後半側に、ミストノズル（１２）に加圧空気を送給するエアーポンプ（１４）と、同ポンプ（１４）を駆動するモーター（１５）と、電池（１６）を含む電装品部（１７）とが配置されており、
本体ケース（１）の内部の前半側に、本体ケース（１）の底部からミストノズル（１２）の下方に至るタンク（１３）が着脱可能に収容してあることを特徴とする噴霧器。
【請求項２】
本体ケース（１）の内部の前半側にミストノズル（１２）とタンク（１３）とが配置され、本体ケース（１）の内部の後半側にエアーポンプ（１４）と、モーター（１５）と、電装品部（１７）とが配置されており、
タンク（１３）の上端がエアーポンプ（１４）の上下中途部に達する状態で、タンク（１３）が縦長に構成してある請求項１に記載の噴霧器。
【請求項３】
本体ケース（１）の内部の後半側に、エアーポンプ（１４）と、モーター（１５）と、電装品部（１７）とが上から順に配置してある請求項２に記載の噴霧器。
【請求項４】
本体ケース（１）の内部が、上下方向へ連続する区分壁（２３）で前側の前室（１Ａ）と、後側の後室（１Ｂ）とに区分されており、
前室（１Ａ）にタンク（１３）が収容され、後室（１Ｂ）にエアーポンプ（１４）と、モーター（１５）と、電池（１６）を含む電装品部（１７）が収容してある請求項１から３のいずれかひとつに記載の噴霧器。
【請求項５】
前室（１Ａ）における前後幅を（Ｂ１）とし、後室（１Ｂ）における前後幅を（Ｂ２）とするとき、後室（１Ｂ）の前後幅（Ｂ２）が前室（１Ａ）の前後幅（Ｂ１）より大きく設定してある請求項４に記載の噴霧器。
【請求項６】
前室（１Ａ）の上端に、タンク（１３）の上部に設けた接続部（８６）を接続するための連結具（４７）が固定されており、
前室（１Ａ）の上部内面に、タンク（１３）の周面を受止めて接続部（８６）を連結具（４７）に対して位置決めする位置決め部（１３５）が形成してある請求項４または５に記載の噴霧器。
【請求項７】
区分壁（２３）の上部を、区分壁（２３）の他の部位より本体ケース（１）の前壁（１ａ）の側へ接近させて、位置決め部（１３５）が区分壁（２３）と一体に形成してある請求項６に記載の噴霧器。
【請求項８】
本体ケース（１）の下端に、本体ケース（１）の底開口を開閉する底蓋（１１１）が設けられており、
底蓋（１１１）は、無端環状の蓋周縁壁（１１２）を含んで上向きに開口する皿状に形成されており、
底蓋（１１１）の内面に、タンク（１３）から漏洩したミスト原液を受止める液受凹部（１１５）が周回状に形成してある請求項１から７のいずれかひとつに記載の噴霧器。
【請求項９】
本体ケース（１）の下端に、後室（１Ｂ）の下開口を塞ぐ内底壁（２４）が固定され、内底壁（２４）の上面にコネクター（２０）を支持するソケットホルダー（１０３）が固定されており、
底蓋（１１１）と内底壁（２４）との間に、本体ケース（１）に装着した底蓋（１１１）をロック保持するロック機構が設けられており、
ロック機構は、底蓋（１１１）の下面側に配置される操作ノブ（１１３）と、操作ノブ（１１３）に設けられて底蓋（１１１）の上方に突出する係合腕（１１９）と、内底壁（２４）の下面側に設けた蓋係合枠（１２０）を含み、
蓋係合枠（１２０）の形成位置に対応して内底壁（２４）に開口された抜跡穴（１２３）に、ソケットホルダー（１０３）の下面に設けた栓状突起（１２４）を係合して、前記抜跡穴（１２３）が栓状突起（１２４）で塞いである請求項８に記載の噴霧器。
【請求項１０】
本体ケース（１）の断面が、前後方向の長軸を備えただ円形状に形成されており、
本体ケース（１）の上端に、モーター（１５）を起動するスイッチ（４８）を切換え操作するスイッチ操作具（４）が配置され、本体ケース（１）の後面の上部寄りにユーザーの手の平を受止めるグリップ部（５）が凹み形成されており、
グリップ部（５）に臨む後室（１Ｂ）の内部に、エアーポンプ（１４）およびモーター（１５）が配置してある請求項１から９のいずれかひとつに記載の噴霧器。
【請求項１１】
ミストノズル（１２）の給気口（６０）とエアーポンプ（１４）の吐出部（２８）とが給気管（６６）を介して接続され、ミストノズル（１２）の給液口（６２）と連結具（４７）の出口部（９３）とが給液管（６８）を介して接続されており、
エアーポンプ（１４）の吸気部（２９）の吸気口（３３）が、吐出部（２８）より後側に位置させてある請求項１から１０のいずれかひとつに記載の噴霧器。
【発明の詳細な説明】
【技術分野】
【０００１】
本発明は、顔肌や髪に化粧水のミストや髪用の美容用液のミストを噴霧供給する美容用のミスト器、あるいはのどおよび口腔内に薬液のミストを噴霧供給する吸入器として使用される噴霧器に関する。噴霧器は、エアーポンプと、同ポンプを駆動するモーターおよび電池と、ミストノズルと、ミスト原液を収容するタンクを備えている。
【背景技術】
【０００２】
この種の噴霧器は、例えば特許文献１に公知である。そこでは、縦筒部と横筒部とで本体ケースをＬ字状に構成し、縦筒部の内部にダイヤフラムポンプと同ポンプを駆動するモーターを収容し、さらにモーターの後側に電池を収容している。横筒部の内部にはミストノズルが配置され、その周囲を覆うノズル保持筒が横筒部で出入り自在に支持してある。縦筒部の前面と横筒部の下面とで形成される入隅状のタンク装着部には、タンク（薬液タンク）が着脱自在に装着してある。ダイヤフラムポンプは、モーターの出力軸に固定した偏心カムで往復駆動されて、加圧された空気をミストノズルに送給し、ミストノズルにおけるベンチュリー作用によって薬液のミストをノズル保持筒へ送出する。特許文献１の噴霧器は、タンク内に収容した食塩水やうがい薬液を、のどおよび口腔内に噴霧供給するための、比較的小形の噴霧吸入器として構成してあり、そのためタンクは数ｃｍ角の大きめの角氷程度の大きさでしかない。
【０００３】
特許文献２にも同様の噴霧器（吸入器）が開示されており、そこでは、本体ケースの内部にダイヤフラムポンプとモーターを収容し、その前側にミストノズルとタンクを配置する点が特許文献１の噴霧器と共通している。また、モーターとタンクの下方に一対の電池を配置し、さらに、ミストノズルの噴霧中心軸を斜め上向きに傾斜させる点が特許文献１の噴霧器とは異なっている。
【先行技術文献】
【特許文献】
【０００４】
【特許文献１】実公昭６２−０９８７２号公報（第１頁右欄４行〜２５行、第４図）
【特許文献２】特公昭５８−４４０２９号公報（第２頁左欄１１行〜２３行、第６図）
【発明の概要】
【発明が解決しようとする課題】
【０００５】
特許文献１の噴霧器においては、モーター、電池、タンクなどの重量物を、本体ケースの下半側に前後に並列配置するので、噴霧吸入器の重心位置を低くして、安定した状態で載置面上に載置できる。また、噴霧吸入器におけるタンクの容量は小さいものの、１回当りの薬液の消費量が少ない吸入器として使用する限りなんら問題はない。
【０００６】
しかし、顔肌に化粧水や水のミストを噴霧し、あるいは髪に髪用の美容用液や水のミストを噴霧供給する場合には、吸入器として使用する場合に比べて、大量の化粧水や美容用液などを消費するため、短時間でタンクが空になるのを避けられず、頻繁に化粧水や水の補給を行なわねばならない。特許文献２の噴霧器においても同様の煩わしさがある。さらに、現状、市販されている携行可能な化粧水ミスト器の場合にはタンク容量がさらに小さく、しかも、粘度が低い特定の化粧水を使用しなければならないため、職場などで一時的に使用するのには問題ないが、化粧水や水を大量に消費するヘビーユースには適さない。
【０００７】
上記のような煩わしさを解消するには、タンクを大容量化せざるを得ないが、その場合でも、ダイヤフラムポンプやモーターをタンクと同様にスケールアップする必要はないため、タンクのみが肥大化した噴霧器になりやすい。また、タンクを大容量化することで重量バランスが崩れて、持ち重りしやすく使い勝手が損なわれやすい。さらに、審美性に主張やこだわりがある美的感覚が強い女性ユーザーにとっては、単にタンクを大容量化しただけの噴霧器を、美容用のミスト器として受入れることには強い抵抗がある。これは、使い慣れている美容器具に照らして、外観上のデザインや、見た目の印象が美容器具としてふさわしいか否かが重要視されるからである。
【０００８】
本発明の目的は、医療用の吸入器や美容用のミスト器として使用できるのはもちろん、大容量のタンクを備えていて、ヘビーユース時にも余裕を持ってミストを供給できる噴霧器を提供することにある。
本発明の目的は、大容量のタンクを備えているにもかかわらず、使い勝手に優れ、しかも、美容用のミスト器としてふさわしい印象を醸すことができる噴霧器を提供することにある。
【課題を解決するための手段】
【０００９】
本発明に係る噴霧器は、エアーポンプ１４と、同ポンプ１４を駆動するモーター１５および電池１６と、ミストノズル１２と、ミスト原液を収容するタンク１３と、これらの各機器を収容する筒状の本体ケース１とを備えている。本体ケース１の前壁１ａの上部にミスト口３が開口され、ミスト口３の内側にミストノズル１２が配置してある。本体ケース１の内部の後半側に、ミストノズル１２に加圧空気を送給するエアーポンプ１４と、同ポンプ１４を駆動するモーター１５と、電池１６を含む電装品部１７を配置する。本体ケース１の内部の前半側に、本体ケース１の底部からミストノズル１２の下方に至るタンク１３を着脱可能に収容する。
【００１０】
本体ケース１の内部の前半側にミストノズル１２とタンク１３を配置し、本体ケース１の内部の後半側にエアーポンプ１４と、モーター１５と、電装品部１７を配置する。タンク１３の上端がエアーポンプ１４の上下中途部に達する状態で、タンク１３を縦長に構成する。エアーポンプ１４とモーター１５は、図１に示すように、両者８・９が上下に隣接する状態で配置してあってもよく、図１１に示すようにリニアモーター１５の上下それぞれにダイヤフラムポンプ１４が配置してあってもよい。さらに、必要があれば図１２に示すようにエアーポンプ１４とモーター１５を前後に配置してもよい。
【００１１】
本体ケース１の内部の後半側に、エアーポンプ１４と、モーター１５と、電装品部１７を上から順に配置する。
【００１２】
本体ケース１の内部を、上下方向へ連続する区分壁２３で前側の前室１Ａと、後側の後室１Ｂとに区分する。前室１Ａにタンク１３を収容し、後室１Ｂにエアーポンプ１４と、モーター１５と、電池１６を含む電装品部１７を収容する。
【００１３】
前室１Ａにおける前後幅をＢ１とし、後室１Ｂにおける前後幅をＢ２とするとき、後室１Ｂの前後幅Ｂ２を前室１Ａの前後幅Ｂ１より大きく設定する。
【００１４】
前室１Ａの上端に、タンク１３の上部に設けた接続部８６を接続するための連結具４７を固定する。前室１Ａの上部内面に、タンク１３の周面を受止めて接続部８６を連結具４７に対して位置決めする位置決め部１３５を形成する。
【００１５】
区分壁２３の上部を区分壁２３の他の部位より本体ケース１の前壁１ａの側へ接近させて、位置決め部１３５を区分壁２３と一体に形成する。
【００１６】
本体ケース１の下端に、本体ケース１の底開口を開閉する底蓋１１１を設ける。底蓋１１１は、無端環状の蓋周縁壁１１２を含んで上向きに開口する皿状に形成する。底蓋１１１の内面に、タンク１３から漏洩したミスト原液を受止める液受凹部１１５を周回状に形成する。
【００１７】
本体ケース１の下端に、後室１Ｂの下開口を塞ぐ内底壁２４を固定し、内底壁２４の上面にコネクター２０を支持するソケットホルダー１０３を固定する。底蓋１１１と内底壁２４との間に、本体ケース１に装着した底蓋１１１をロック保持するロック機構を設ける。ロック機構は、底蓋１１１の下面側に配置される操作ノブ１１３と、操作ノブ１１３に設けられて底蓋１１１の上方に突出する係合腕１１９と、内底壁２４の下面側に設けた蓋係合枠１２０を含む。蓋係合枠１２０の形成位置に対応して内底壁２４に開口された抜跡穴１２３に、ソケットホルダー１０３の下面に設けた栓状突起１２４を係合して、抜跡穴１２３を栓状突起１２４で塞ぐ。
【００１８】
本体ケース１の断面は、前後方向の長軸を備えただ円形状に形成する。本体ケース１の上端に、モーター１５を起動するスイッチ４８を切換え操作するスイッチ操作具４を配置する。本体ケース１の後面の上部寄りにユーザーの手の平を受止めるグリップ部５を凹み形成する。グリップ部５に臨む後室１Ｂの内部に、エアーポンプ１４およびモーター１５を配置する。
【００１９】
ミストノズル１２の給気口６０とエアーポンプ１４の吐出部２８とは給気管６６を介して接続する。ミストノズル１２の給液口６２と連結具４７の出口部９３とは給液管６８を介して接続する。エアーポンプ１４の吸気部２９の吸気口３３は、吐出部２８より後側に位置させる。
【発明の効果】
【００２０】
本発明においては、本体ケース１を筒状に形成し、その前壁１ａの上部に開口したミスト口３の内側にミストノズル１２を配置した。また、本体ケース１の後半側に、エアーポンプ１４と、モーター１５と、電池１６を含む電装品部１７を配置し、残る前半側にタンク１３を着脱可能に収容した。そのうえで、タンク１３を本体ケース１の底部からミストノズル１２の下方に至る縦に長い構造にしてタンクの大容量化を実現した。従って、大量のミストが消費されるヘビーユース時にも、余裕を持ってミストを連続して供給することが可能な噴霧器を提供できる。
【００２１】
また、本体ケース１の内部空間の範囲内で、タンク１３を縦長構造にしてタンク容量を増加するので、タンク１３の大容量化によって本体ケース１の外観上のデザインが損なわれるのを防止できる。とくに、噴霧器を美容用のミスト器として使用する場合には、大容量のタンク１３を備えているにもかかわらず、外観上のデザインや見た目の印象を美容器具としてふさわしい印象を醸すことができる。噴霧器は、医療用の吸入器や美容用のミスト器として使用できる。
【００２２】
タンク１３の上端がエアーポンプ１４の上下中途部に達する状態で、タンク１３を縦長に構成すると、タンク１３の内容量をさらに大きくして、充分な余裕を持った状態でミストを連続して供給することができる。また、上端がエアーポンプ１４の上下中途部に達する縦長のタンク１３内にミスト原液を収容するので、噴霧器を大きく動かしながらミストを噴霧する場合でも、ミスト原液の液位が大きく変動し、あるいはミスト原液が前後左右に揺れ動くのを抑止できる。従って、ミストを安定した状態で連続して噴霧できるうえ、ミスト原液の揺れ動きに影響を受けることもなく噴霧器を安定した状態で保持できる。
【００２３】
本体ケース１の内部の後半側に、エアーポンプ１４と、モーター１５と、電装品部１７とを上から順に配置すると、本体ケース１の後半側のスペースを無駄なく有効に利用しながら各機器を整然と配置することができる。従って、本体ケース１が前後方向、あるいは左右方向へいたずらに肥大化するのを避けながら、本体ケース１の外観の印象をスリム化することができる。
【００２４】
区分壁２３で区分した前室１Ａにタンク１３を収容し、後室１Ｂにエアーポンプ１４と、モーター１５と、電池１６を含む電装品部１７を収容すると、タンク１３から漏れ出したミスト原液が後室１Ｂ側へ流入するのを区分壁２３で阻止できる。従って、後室１Ｂに収容した電気機器に漏れ出したミスト原液が付着して生じる電気系統の故障、例えば短絡や発熱などの故障をよく防止できる。また、縦長姿勢に載置された状態の本体ケース１を誤って転倒させ、その衝撃でタンク１３からミスト原液が漏れ出したとしても、ミスト原液が後室１Ｂ側へ直ちに流入するのを区分壁２３で阻止して、電気機器が故障するのをよく防止できる。区分壁２３は、縦長筒状に形成された本体ケース１の補強構造体としても機能しており、本体ケース１の構造強度を増強することに役立っている。従って、本体ケース１に強い落下衝撃などが作用するような場合であっても、本体ケース１が破損するのをよく防止できる。
【００２５】
後室１Ｂの前後幅Ｂ２を前室１Ａの前後幅Ｂ１より大きく設定するのは、タンク１３に比べて直径（または前後幅）が大きなエアーポンプ１４およびモーター１５、あるいは電装品部１７などを、余裕のある状態で後室１Ｂに収容するためである。また、エアーポンプ１４を後室１Ｂの上部に配置することにより、ミストノズル１２とエアーポンプ１４を接続する給気管６６の全長を小さくして通路抵抗を小さくできるので、その分だけ加圧空気を効率よくミストノズル１２へ送給できる。
【００２６】
前室１Ａの上部内面に位置決め部１３５を設けると、前室１Ａに差込装填されたタンク１３の周面を位置決め部１３５で受止めて、タンク１３の接続部８６を連結具４７に対して的確に位置決めすることができる。従って、タンク１３を単に前室１Ａに差込み操作するだけで、縦長に形成されたタンク１３の接続部８６と、前室１Ａの上奥に位置する連結具４７の筒壁９２との中心を合致させて、縦長のタンク１３の連結具４７に対する連結を容易に行うことができる。
【００２７】
区分壁２３の上部を区分壁２３の他の部位より本体ケース１の前壁１ａの側へ接近させて、位置決め部１３５を区分壁２３と一体に形成すると、本体ケース１の外観に影響を及ぼすことなく位置決め部１３５を形成できる。位置決め部１３５は、本体ケース１の前壁１ａや、その周囲壁などに形成することによっても、タンク１３を連結具４７に対して位置決めできるが、その場合には、位置決め部１３５を形成した個所の外面にひけなどの成形ひずみを生じて、本体ケース１の外観が損なわれるからである。また、区分壁２３の上部を前壁１ａの側へ接近させる分だけ、後室１Ｂの前後幅を大きくして、より大きなサイズのエアーポンプ１４を後室１Ｂの上部に配置することができる。
【００２８】
底蓋１１１を蓋周縁壁１１２を含んで上向きに開口する皿状に形成し、その内面に液受凹部１１５を周回状に形成すると、何らかの原因でミスト原液がタンク１３から漏洩した場合にも、ミスト原液を液受凹部１１５で受止めて本体ケース１の外へ漏出るのを防止できる。
【００２９】
操作ノブ１１３、係合腕１１９、および蓋係合枠１２０などで底蓋１１１用のロック機構を構成し、内底壁２４に開口された抜跡穴１２３に栓状突起１２４を係合して抜跡穴１２３を塞ぐと、底蓋１１１で受止められたミスト原液が抜跡穴１２３を介して後室１Ｂへ浸入するのを防止できる。従って、後室１Ｂの下部空間に配置した電装品部１７に、タンク１３から漏れ出したミスト原液が付着して短絡するなどの電気系統の故障を確実に防止できる。また、ソケットホルダー１０３の下面に設けた栓状突起１２４を、内底壁２４の抜跡穴１２３と係合することにより、ソケットホルダー１０３が前後にがたつくのを防止して、充電用プラグのコネクター２０に対する着脱を的確に行うことができる。
【００３０】
本体ケース１の後面の上部寄りにユーザーの手の平を受止めるグリップ部５を凹み形成し、グリップ部５に臨む後室１Ｂの内部に、エアーポンプ１４およびモーター１５を配置すると、噴霧器を確りと握り持った状態で軽快にミストを噴霧することができる。これは、ユーザーの手の平をグリップ部５にあてがった状態で本体ケース１を握り持つことにより、重量の大きなエアーポンプ１４とモーター１５が手の平の近傍に位置する状態、つまり持ち重りしない状態で本体ケース１を掴み保持してミストを軽快に噴霧できるからである。また、ユーザーの手の平を内凹み状のグリップ部５で受止めることにより、噴霧器を大きく動かしながらミストを噴霧するような場合に、手が上下あるいは周方向へずれ動くのを確実に防止して使い勝手を向上できる。
【００３１】
吸気部２９の吸気口３３を吐出部２８より後側に位置させると、エアーポンプ１４の作動時に、吸気部２９の周辺部の空間が負圧になり、その影響がミストノズル１２に及ぶのを避けることができる。従って、ミストノズル１２におけるミストの生成を効果的に行うことができる。
【図面の簡単な説明】
【００３２】
【図１】美容用ミスト器の縦断側面図である。
【図２】美容用ミスト器の電装品の配置構造の概略を示す説明図である。
【図３】美容用ミスト器の上部構造を示す縦断側面図である。
【図４】美容用ミスト器の正面図である。
【図５】美容用ミスト器の下部構造を示す縦断側面図である。
【図６】図５におけるＡ−Ａ線断面図である。
【図７】本体ケースの内部構造の概略を示す分解説明図である。
【図８】図１におけるＢ−Ｂ線断面図である。
【図９】美容用ミスト器の使用状態を示す側面図である。
【図１０】エアーポンプの一部を変更した実施例を示す要部の断面図である。
【図１１】エアーポンプのさらに別の実施例を示す断面図である。
【図１２】噴霧器のさらに別の実施例を示す概念図である。
【発明を実施するための形態】
【００３３】
（実施例）  図１ないし図９は、本発明に係る噴霧器を美容用のミスト器（以下、単にミスト器と言う。）に適用した実施例を示している。なお、本発明における前後、左右、上下とは、図１および図４に示す交差矢印と、各矢印の近傍に表記した前後、左右、上下の表示に従う。
【００３４】
図１においてミスト器は、上下面が開口する縦長筒状の本体ケース１を基本構造体にして、その内部にミスト生成構造と、イオン発生構造を組込んで構成してある。本体ケース１は縦長筒状に形成してあり、その断面は前後方向の長軸を備えただ円形状に形成してある（図８参照）。本体ケース１の左右幅は前後幅に比べて充分に小さく設定されて、主なユーザーである女性の手に馴染みやすく、しかも片手で掴みやすい大きさにしてある。この実施例では、本体ケース１の前後幅を約６５ｍｍとするとき、左右幅を４５ｍｍとした。本体ケース１の前壁１ａの上部には円形のミスト口３が開口され、本体ケース１の上端にはスイッチノブ（スイッチ操作具）４が配置してある。また、本体ケース１の後面の上部寄りにはグリップ部５がなだらかに凹み形成してある（図１参照）。図３において符号６はキャップであり、ミスト器の不使用時に、キャップ６を本体ケース１に被せ付けた状態では、ミスト口３およびスイッチノブ４の外面がキャップ６で覆われる。
【００３５】
ミスト生成構造は、ミスト口３の内側中央に配置されるミストノズル１２と、同ノズル１２の下方に配置されるタンク１３と、エアーポンプ１４と、同ポンプ１４を駆動するモーター１５と、２次電池（電池）１６を含む電装品部１７などで構成してある。電装品部１７には、制御回路が実装された回路基板１８と、樹脂モールド１９と、充電用のコネクター２０と、先の２次電池１６などが設けてある。イオン発生構造は、先の樹脂モールド１９と、ミストノズル１２の上側に配置した電極ユニット２１と、補助回路基板２２などで構成してあり、電流調整用の前段の回路群が補助回路基板２２に実装され、電流調整用の後段の回路が樹脂モールド１９の内部に封入してある。
【００３６】
上記の各機器を本体ケース１の内部に整然と組込むために、本体ケース１の内部を区分壁２３で前室１Ａと後室１Ｂとに区分し、さらに、本体ケース１の内部に電装ケース１０とノズルケース１１を設けている。区分壁２３は本体ケース１と一体に形成されて、底開口の近傍から本体ケース１の過半上部にわたって、前壁１ａに沿う状態で上下方向に連続しており、その上端でノズルケース１１の下端壁を支持している。
【００３７】
電装ケース１０には、上側から順にエアーポンプ１４と、モーター１５と、樹脂モールド１９と、２次電池１６が組付けてあり、樹脂モールド１９および２次電池１６の後側の空間に臨んで回路基板１８が電装ケース１０に固定してある。また、２次電池１６の側方に隣接配置した補助回路基板２２が電装ケース１０に固定してある。つまり、本体ケース１の内部の後半側に、エアーポンプ１４と、モーター１５と、電装品部１７とが上から順に配置してある。エアーポンプ１４とモーター１５が電装ケース１０に対して後面側から組付けられるのに対し、樹脂モールド１９と２次電池１６は電装ケース１０に対して前面側から組付けてある。ノズルケース１１は左右に２分割したケース体を接合した中空ケースからなり、その内部が区分壁２３に連続する階段状の区画壁３５で前後に区画してあり、前側の区画に電極ユニット２１と、ミストノズル１２と、タンク１３用の連結具４７が組付けてある。また、後側の区画には、スイッチ基板が組付けられ、その上面にモーター１５への通電状態をオン・オフするスイッチ４８が実装してある。
【００３８】
各機器が組付けられた電装ケース１０に、各機器が組付けられたノズルケース１１を組み、２分割したケース体どうしをビス１０２（図３参照）で締結することにより、電装ケース１０とノズルケース１１が一体化される。この組立体を上開口の側から本体ケース１の内部に装填し、さらに、本体ケース１の下開口の内面に内底壁２４を嵌込んで、図６に示すように電装ケース１０と内底壁２４をビス１０５で締結することにより、先の組立体が本体ケース１と一体化される。この組立状態におけるエアーポンプ１４およびモーター１５は、後壁１ｂを間にしてグリップ部５に臨んでいる。
【００３９】
上記のように、エアーポンプ１４と、モーター１５と、電池１６を含む電装品部１７とは、本体ケース１の内部の後室（後半側）１Ｂに配置され、本体ケース１の内部の前室（前半側）１Ａに、本体ケース１の底部からミストノズル１２の下方に至る縦長のタンク１３を着脱可能に収容している。前室１Ａに収容したタンク１３の上端は、エアーポンプ１４の上下中途部に達している。このように、タンク１３の内容量を大きくすることにより、充分な余裕を持った状態でミストを連続して供給することができる。
【００４０】
先に説明したスイッチノブ４は、ノズルケース１１の上面側に配置されて本体ケース１の上端の開口を塞いでおり、その前部下面に設けたピン９８を中心にしてノズルケース１１で上下揺動可能に支持され、図示していないばねで押上げ付勢してある。スイッチノブ４はプラスチック成形品の表面に金属めっきを施して形成してあり、その上面には指掛け凹部９９が形成してある。また、スイッチノブ４の下面にはシールゴム１００を介してスイッチ４８をオン・オフする操作ピン１０１が設けてある。シールゴム１００はノズルケース１１に装着されて、水滴あるいは塵埃などがノズルケース１１の後側の区画に侵入するのを防止する。不使用状態におけるスイッチノブ４は、本体ケース１の上開口面に沿って開口前部から開口後部へ向かって下り傾斜している。
【００４１】
図３においてミストノズル１２は、透明なプラスチック材を素材とする射出成形品からなり、その上部前面にミストを噴出するノズル口５７が開口され、上部後面と下面前部とのそれぞれに筒状の継手部５８・５９が突設してある。上部後面の継手部５８には給気口６０が開口され、この給気口６０に連続してノズル口５７へ向かって先すぼまり状の空気通路６１が形成してある。同様に、下面前部の継手部５９には給液口６２が開口され、この給液口６２に連続してノズル口５７へ向かって上すぼまり状の液通路６３が形成してある。
【００４２】
前者継手部５８とエアーポンプ１４の吐出部２８とが給気管６６を介して接続され、後者継手部５９と連結具４７の出口部９３とが給液管６８を介して接続してある。給気管６６および給液管６８は、それぞれ軟質で屈曲自在なシリコーンゴム製のチューブやプラスチック製のチューブで形成してある。ミストノズル１２の後面下部にはＬＥＤ７８が密着配置してあり、このＬＥＤ７８をミスト噴出時に点灯することにより、ＬＥＤ７８から照射されてミストノズル１２で散乱された柔らかな光でミストを照らすことができる。
【００４３】
タンク１３は、透明ないし半透明のプラスチック材で形成した上下に長いびん状のタンク本体８５と、タンク本体８５の上端に設けた接続部８６と、接続部８６の内面下部に固定される直管状の吸上パイプ８７などで構成してある。図８に示すように、タンク本体８５の断面はトンネル断面状に形成してある。接続部８６の上面の中央には、連結具４７に差込み連結される筒ボス８８が上向きに突設してあり、その周面にＯリング８９が装着してある（図７参照）。
【００４４】
タンク１３は消耗品であって、予めタンク本体８５にミスト原液を充填した状態で販売され、ミスト原液を消費するごとに新規なタンク１３と交換して使用する。ミスト原液としては、顔肌に潤いを与える化粧水や水、あるいは、髪に潤いを与える髪用の美容用液などが用意してある。ミスト器の使用に伴ってタンク１３内のミスト原液の残量が少なくなったときに、その残量レベルを確認するために、本体ケース１の前壁１ａの下部に透明なレベル確認窓９０を設けている。ユーザーは、レベル確認窓９０を介してタンク本体８５内の残量レベルを視認することにより、新規なタンク１３を用意すべき時期が近付いたことを確認できる。
【００４５】
先に説明したように、本体ケース１の断面は、女性の手に馴染みやすく、しかも片手で掴みやすくするために、前後に長いだ円形状に形成してある。さらに、本体ケース１を縦長筒状に形成してシンプルな外観形状としてある。こうした、本体ケース１の外観上の印象を損なうことなく、タンク１３の大容量化を実現するために、タンク１３の上下長を大きく設定している。具体的には、タンク１３を前室１Ａに装填して、その接続部８６を連結具４７に連結した状態において、タンク本体８５の上端が、後室１Ｂの上部寄りに位置するエアーポンプ１４の上下中途部に達する状態となるように、タンク１３を縦長に構成している。
【００４６】
タンク１３の接続部８６をミストノズル１２に連通するために、前室１Ａの上端、具体的にはノズルケース１１の下端壁に連結具４７を固定している。連結具４７の下面側には、接続部８６を外嵌装着するための筒壁９２が下向きに突設され、連結具４７の上面側には給液管６８を接続するための出口部９３が上向きに突設してある。図３に示すように、タンク１３の接続部８６を連結具４７の筒壁９２に差込み装着した状態においては、筒ボス８８が連結具４７に設けた連結穴（図示していない）に嵌合して、両者の隙間がＯリング８９でシールされる。連結穴の下部は上すぼまりテーパー状に形成してある。なお、図示していないが、接続部８６の内部には、タンク本体８５の内部が負圧状態になるのを防ぐ負圧防止弁が設けてある。
【００４７】
エアーポンプ１４はダイヤフラムポンプからなり、その上端に吐出部２８と、空気をポンプ内部に導入するための吸気部２９とが、前後に隣接する状態でそれぞれ上向きに突設してある。この実施例では、エアーポンプ１４とモーター１５とが一体化された状態のローリングポンプを適用した場合を示している。ローリングポンプ（エアーポンプ１４）の内部には複数個のダイヤフラムが設けてあり、これらのダイヤフラムを、モーター１５で回転駆動されて「皿回し運動」をする駆動体で上下操作することにより、吸気部２９から吸込んだ空気を加圧して吐出部２８から送出する。
【００４８】
吸気部２９の吸気口３３は、吐出部２８より後側に位置させる。この実施例では、吐出部２８の後側に上向きに突出する吸気部２９を配置して、吸気部２９の上端の吸気口３３を吐出部２８より後側に位置させるようにした。ミストノズル１２と吐出部２８と吸気部２９の３者は、ミストノズル１２より後側に吐出部２８が位置しており、さらに吐出部２８より後側に吸気部２９の吸気口３３が位置させてある。このように、吸気部２９の吸気口３３は、できるだけミストノズル１２から遠ざかった位置に設けることが好ましい。要は、吸気部２９から空気を吸込むことにより、吸気部２９の周辺部の空間が負圧になる傾向があるため、その影響がミストノズル１２に及ぶのを避けられる位置、つまり吐出部２８より後側に吸気口３３が設けてあればよい。
【００４９】
図３に示すように、ミストノズル１２の継手部５８と吐出部２８とを連通する給気管６６は、ノズルケース１１の区画壁３５を前後に貫通する状態でＪ字状に屈曲している。このように、エアーポンプ１４を後室１Ｂの上端に配置し、ミストノズル１２とエアーポンプ１４とを、Ｊ字状に屈曲する全長の短い給気管６６で接続すると、給気管６６における通路抵抗を最小限にして、エアーポンプ１４から送出される加圧空気を効率よくミストノズル１２に送給することができる。
【００５０】
イヤフォンジャック状に構成したコネクター２０を本体ケース１に対して固定するために、電装ケース１０の下端と内底壁２４との間にソケットホルダー１０３を挟持固定している。図５および図６に示すようにソケットホルダー１０３は、内底壁２４で支持されるベース壁を有し、その上面側にコネクター２０用の装填部１０９が設けてある。また、ベース壁の前部下面には、左右一対の栓状突起１２４が形成してある。栓状突起１２４を設ける意味は後述する。図示していない充電器のコネクタープラグをコネクター２０に接続することにより２次電池１６を充電できる。
【００５１】
２次電池１６が充電されている状態であることを表示し、さらに、２次電池１６の電力残量がどの程度であるかを表示するために、コネクター２０の後端に表示リング１０４を装着し、その上側に、回路基板１８に実装したＬＥＤ１０６の照射光を導入する導光部１０７を設けている。ＬＥＤ１０６は３色ＬＥＤからなり、ＬＥＤ１０６の発光色を変更して、あるいはＬＥＤ１０６を点滅させるなどにより充電状態であることを表示し、あるいは電力残量を表示することができる。表示リング１０４の中央には、コネクター２０の端部を露出させるためのコネクター窓１０８が開口してあり、この窓１０８を介して充電用のプラグをコネクター２０に着脱する。
【００５２】
図３において電極ユニット２１は、プラスチック製のホルダー８０と、ホルダー８０の前面中央に固定される針状の中央電極８１と、中央電極８１の周囲を囲むリング状の対向電極８２と、両電極８１・８２の間の空間を絶縁する誘電筒８３などで構成する。電極ユニット２１は、左右に２分割されたノズルケース１１で左右に挟持固定されて、その中心軸がノズル口５７を通る水平軸と交差する向きに傾斜させてある。ミストノズル１２の前部とミスト口３との間の隙間を塞ぐために、ミスト口３の内面に凹面鏡状のミスト口カバー７２が嵌込んである。また、ミスト口カバー７２の電極ユニット２１の前端と正対する位置にはイオン種放出窓７４が開口され、その後側に、指先が電極ユニット２１に触れるのを防ぐガード枠７７が設けてある。電極ユニット２１で生成されたイオン種は、イオン種放出窓７４を介してノズル口５７から噴霧されたミスト流へ向かって放出される。中央電極８１は高圧リードを介してダイオード１３２に接続され、対向電極８２はスイッチノブ４とともにグランドリード１３３に接続してある。グランドリード１３３は、中央電極（放電電極）８１、および対向電極８２に高圧のパルス電流を供給する電流調整用の回路のグランドライン１３４に接続してある。先に説明したように、スイッチノブ４はプラスチック成形品の表面に金属めっきを施して形成してある。そのため、スイッチノブ４は対向電極８２と同じ電位になっており、スイッチノブ４に触れたユーザーも対向電極８２と同じ電位になる。図示していないが、グランドライン１３４とスイッチノブ４との間には抵抗値が大きな抵抗が介在させてある。
【００５３】
図２にミスト器の回路構成の概略を示す。ミスト器の使用時にスイッチノブ４をオン操作すると、回路基板１８に実装された制御回路を介してモーター１５が回転駆動され、同時にイオン発生構造を構成する電流調整用の回路が作動して、放電電極となる中央電極８１にコロナ放電用の高圧電流が供給される。電流調整用の前段回路は、２次電池１６の電流を交流に変換する発振回路１２７と、発振回路１２７で生成されたパルス電流を昇圧する第１の昇圧回路１２８と、昇圧回路１２８で１００Ｖにまで昇圧されたパルス電流を整流する整流回路１２９と、整流回路１２９で整流された直流電流を再度パルス電流に変換するパルス発生回路１３０とで構成する。また、電流調整用の後段回路は、パルス発生回路１３０から出力されるパルス電流を４ｋＶにまで昇圧する第２の昇圧回路１３１と、ミストの帯電極性を設定するダイオード１３２とで構成する。先に説明したように、電流調整用の各回路のうち、発振回路１２７からパルス発生回路１３０までが補助回路基板２２に実装され、昇圧回路１３１とダイオード１３２とが樹脂モールド１９内に封入してある。
【００５４】
電流調整用の各回路で調整された高圧電流が、中央電極８１と対向電極８２との間に供給されると、コロナ放電により中央電極８１から電子が放出されて空気中の酸素分子と結合し、負電荷あるいは正電荷のイオン種となる。生成されたイオン種は、ノズル口５７から噴出される高速の空気流に引き込まれて、空気流とともに噴出されたミストに接触してミストをマイナス電位あるいはプラス電位に帯電させる。ダイオード１３２が中央電極８１へ向かって順方向に接続してある場合には、ミストはプラスに帯電され、ダイオード１３２が中央電極８１へ向かって逆方向に接続してある場合には、ミストはマイナスに帯電される。
【００５５】
本体ケース１の底開口を開閉してタンク１３を出入れ可能とするために底蓋１１１を設けている。図５〜図７に示すように底蓋１１１は、無端環状の蓋周縁壁１１２を備えた上向きに開口するだ円形の皿状に形成されており、その中央下面側に操作ノブ１１３を収容するための操作凹部１１４が上向きに膨出する状態で形成してある。蓋周縁壁１１２と操作凹部１１４の膨出壁との間の底壁は、タンク１３から漏洩したミスト原液を受止める液受凹部１１５として機能する。液受凹部１１５は蓋周縁壁１１２に沿って周回状に形成してあり、タンク本体８５の底面と対向する液受凹部１１５には、タンク１３を連結具４７に向かって押付けるゴム製の押圧ピース１１６が固定してある。操作凹部１１４を囲む底蓋１１１の下面は平坦に形成してあるので、不使用状態におけるミスト器は本体ケース１が起立する状態で載置収納できる。
【００５６】
底蓋１１１と内底壁２４との間には、本体ケース１に装着した底蓋１１１をロック保持するロック機構が設けてある。ロック機構は、操作凹部１１４に収容される操作ノブ１１３と、操作ノブ１１３の側に設けられる左右一対の係合腕１１９と、内底壁２４の下面側に設けた左右一対の蓋係合枠１２０と、操作凹部１１４の上壁上面に配置されるスライド板１２１などで構成してある。一対の係合腕１１９は、底蓋１１１に形成したスライド溝を介して、底蓋１１１の上方に突出している。操作ノブ１１３とスライド板１２１は、操作ノブ１１３に設けたピン１２２で同行移動可能に一体化してある。ロック状態（図５に示す状態）における係合腕１１９は、蓋係合枠１２０と係合して底蓋１１１が本体ケース１から分離するのを防止する。また、操作ノブ１１３を図５に向かって右側へスライド操作すると、係合腕１１９と蓋係合枠１２０との係合状態が解除されるので、底蓋１１１を本体ケース１から分離することができる。
【００５７】
蓋係合枠１２０は内底壁２４を射出成形する際に一体に形成するが、その際に蓋係合枠１２０の形成位置の上側に、左右一対の金型の抜跡穴１２３（図６参照）が形成されてしまう。この抜跡穴１２３から電装品部１７へ液滴等が浸入するのを防ぐために、ソケットホルダー１０３の下面に設けた左右一対の栓状突起１２４で抜跡穴１２３を塞いでいる。また、栓状突起１２４を抜跡穴１２３と係合することにより、ソケットホルダー１０３が前後にがたつくのを防いで、コネクター２０に対する充電用プラグの着脱を的確に行えるようにしている。
【００５８】
図７および図８において、前室１Ａにおける前後幅をＢ１とし、後室１Ｂにおける前後幅をＢ２とするとき、後室１Ｂの前後幅Ｂ２は前室の前後幅Ｂ１より大きく設定してある。これは、エアーポンプ１４およびモーター１５の直径（または前後幅）がタンク１３の前後幅より大きく、これらのサイズの大きなエアーポンプ１４およびモーター１５を、余裕のある状態で後室１Ｂに収容するためである。また、前室の前後幅Ｂ１が小さい分だけタンク１３の容量は小さくなるが、タンク１３の上下寸法を大きくすることでタンク容量の減少を補っている。
【００５９】
先に説明したように、タンク１３は底蓋１１１を取外した状態で、本体ケース１の底開口の側から前室１Ａに出入れする。そのため、タンク１３を前室１Ａに差込み装填するとき、細長いタンク１３の接続部８６の中心と、連結具４７の筒壁９２の中心とを正しく一致させるのが難しくなる。このような煩わしさを解消するために、図７に示すように、前室１Ａの上部内面に、タンク１３の周面を受止めて接続部８６を連結具４７に対して位置決めする位置決め部１３５を形成している。具体的には、区分壁２３の上部を区分壁２３の他の部位より本体ケース１の前壁１ａの側へ接近させて、区分壁２３の上部に位置決め部１３５を一体に設けるようにした。さらに、位置決め部１３５の下端に連続して、タンク１３の周面を受止めて本体ケース１の前壁１ａの側へ向かって移動案内する位置決めガイド１３６を傾斜する状態で設けた。位置決め部１３５および位置決めガイド１３６は、本体ケース１の成形時に区分壁２３とともに同時に形成される。上記のように、位置決め部１３５を設けることにより、本体ケース１の前壁１ａを位置基準とするときの区分壁２３の上部における前室１Ａの前後幅ｂ１は、本体ケース１の底開口に臨む前室１Ａの下部の前後幅Ｂ１より小さく設定される。
【００６０】
上記のように、前室１Ａの上部に位置決め部１３５と位置決めガイド１３６を形成すると、タンク１３を前室１Ａに差込み終える直前に、タンク本体８５の平坦な肩部を位置決めガイド１３６で位置決め部１３５へ向かって移動案内できる。従って、タンク１３を単に前室１Ａに差込み操作するだけで、接続部８６の中心と筒壁９２の中心とを一致させて、連結具４７に対するタンク１３の連結を容易に行うことができる。なお、タンク１３を連結具４７に連結する場合には、例えば本体ケース１を左手で前面側から握って斜めに保持し、底開口が傾斜下端に位置する状態で、右手で握ったタンク１３を前室１Ａに差込み操作する。そのとき、湾曲する前壁１ａがトンネル断面状のタンク１３の湾曲壁を大まかに位置決めした状態で案内し、さらにタンク１３の平坦な肩部を位置決め部１３５が受止めて、タンク１３の周方向の姿勢を矯正するので、常に的確に接続部８６の中心と筒壁９２の中心とを一致させることができる。また、前室１Ａの上部に位置決め部１３５を設けるので、前室１Ａの底開口の側の前後幅を大きくすることができ、従って、タンク１３を前室１Ａに容易に差込み操作することができる。
【００６１】
ミスト器を使用する場合には、図９に示すように、グリップ部５にユーザーの手の平をあてがい、本体ケース１の左右壁を親指およびその付け根と、中指、薬指、小指の３指とで挟み保持し、さらに、人指し指でスイッチノブ４を押下げてモーター１５を起動させる。モーター１５の起動と同時にエアーポンプ１４が作動して、加圧された空気が給気管６６を介してミストノズル１２へ送給され、空気通路６１によって絞られた流速の速い空気がノズル口５７から吹出される。そのため、液通路６３の空気通路６１との交差部分には大きな負圧が作用し、この負圧によってタンク１３内のミスト原液が、吸上パイプ８７と、連結具４７と、給液管６８を介して吸上げられる。さらに、吸上げられたミスト原液は、液通路６３の上端においてミスト化されて加圧空気とともにノズル口５７から吹出される。ミスト原液が例えば化粧水である場合には、ノズル口５７から吹出されたミストを顔肌に吹付ける。なお、モーター起動用のスイッチ４８は自己復帰型のスイッチであるので、スイッチノブ４を人指し指で押下げている間のみモーター１５が起動され、人指し指による押下げ動作を解除するとモーター１５は停止する。
【００６２】
モーター１５が起動するのと同時にイオン発生構造も起動され、各回路１２７〜１３２で調整された高圧（４ｋＶ）のパルス電流が高圧リードを介して中央電極８１に供給される。これに伴い、中央電極８１と対向電極８２との間でコロナ放電が生じ、中央電極８１から放出された電子が空気中の酸素分子と結合してイオン種となり、このイオン種がノズル口５７から噴出される高速の空気流に引き込まれてミストに接触し、ミストをマイナス電位あるいはプラス電位に帯電させる。この状態におけるユーザーの顔肌（人体）は、スイッチノブ（接触電極）３に接触する指先を介して対向電極８２と同じグランド電位になっているので、中央電極８１から顔肌へ向かって電気力線が形成され、イオン種で帯電されたミストを顔肌へ向かって誘引させることができる。
【００６３】
上記のように、中央電極８１と対向電極８２との間に高電圧を印加してイオン種を生成し、生成されたイオン種をミストノズル１２から噴出されるミストに接触させると、ミストをマイナス電位あるいはプラス電位に帯電されたミストを的確に生成できる。また、指先がスイッチノブ４に接触している状態においては、人体の電位を対向電極８２の電位と同じ電位にすることができるので、帯電されたミストを安定した状態で人体に引寄せ吸着させることができる。因みに、人体は通常プラスに帯電しているので、マイナスに帯電したミストを生成することにより、ミストを人体に引寄せて、吸着させることができる。
【００６４】
上記のようにミスト器を使用する状態では、スイッチノブ４がオン操作されるのと同時に、ミストノズル１２の後に配置したＬＥＤ７８が発光する。ＬＥＤ７８から照射された光は、透明のミストノズル１２を通過する間に繰り返し反射され散乱された状態で、ノズル口５７の周囲壁からミスト流へ向かって放出される。そのため、散乱された柔らかな光でミスト流を照らしてＬＥＤ７８が発光する色に染め、幻想的な雰囲気を演出することができる。ＬＥＤ７８はパイロットランプを兼ねており、スイッチノブ４がオン・オフ操作されるのに対応して点灯し、あるいは消灯する。
【００６５】
ミスト器の使用時には、先に説明したようにグリップ部５にユーザーの手の平をあてがい、本体ケース１の左右壁を親指およびその付け根と、中指、薬指、小指の３指とで挟み保持する。この保持状態においては、他の構成部品に比べて重量の大きなエアーポンプ１４とモーター１５が、本体ケース１を掴み保持したユーザーの手の平の近傍に位置しており、他の部分に比べて重量が集中する部分を自然に掴み保持した状態で、ミスト器を確りと握り持つことができる。従って、握り持ったミスト器を大きく動かすような場合でも、持ち重りすることがなく、軽快にミストを噴霧することができる。また、ユーザーの手の平を内凹み状のグリップ部５で受止めるので、とくに意識しながら本体ケース１を握る必要もなく、自然と好適な位置を好適な姿勢で握ることができ、さらに、ミスト器を大きく動かす際に、手が上下あるいは周方向へずれ動くのを確実に防止できる。
【００６６】
上記のミスト器（噴霧器）は、以下の態様で実施することができる。
ミスト発生部と電極ユニット（放電電極）２１を有し、ミスト発生部で生成されるミストと、電極ユニット２１で生成されるイオン種を接触させて、帯電されたミストを生成できる噴霧器であって、
電極ユニット２１に電圧を印加する回路と、前記回路のグランドライン１３４に接続される接触電極とを備え、
接触電極が、ミスト発生部および電極ユニット２１を駆動するスイッチ４８のスイッチ操作具４に設けてある噴霧器。
【００６７】
上記構成の噴霧器によれば、マイナス電位あるいはプラス電位に帯電されたミストを的確に生成できる。例えば、人体は通常プラスに帯電しているので、マイナスに帯電したミストを生成することにより、ミストを人体に吸着させることができる。また、人体の電位を、積極的に電極ユニット２１に電圧を印加する回路のグランド電位と同じ電位にすることができるので、帯電されたミストを安定した状態で人体に引寄せて吸着させることができる。
【００６８】
上記のミスト発生部および電極ユニット２１を駆動するスイッチ４８が、自己復帰型スイッチで構成されており、
スイッチ操作具４がオン状態に切換え操作された状態において、ミスト発生部および電極ユニット２１を連続して駆動でき、
指先がスイッチ操作具４から離れて、同操作具４がオフ状態に切換え操作された状態において、ミスト発生部および電極ユニット２１が作動を停止するように構成してある噴霧器。
【００６９】
上記のように、噴霧器を使用する場合のユーザーは、必ず接触電極を兼ねるスイッチ操作具４に触れた状態でスイッチ４８を切換え操作するので、ユーザーは意識することもなく帯電されたミストを人体に引寄せる機能を発揮できる。
【００７０】
上記のミスト発生部はミストノズル１２で構成されており、
ミストノズル１２は、加圧空気を流動案内する空気通路６１と、ミスト原液を流動案内する液通路６３と、ノズル口５７とを備えており、
液通路６３の空気通路６１との交差部分に作用する負圧の作用でミスト原液を吸上げてミスト化し、ノズル口５７から空気流とともに噴出できる噴霧器。
【００７１】
図１０にエアーポンプ１４の一部を変更した実施例を示す。そこでは、エアーポンプ１４の上部前側に吸気部２９を設け、吸気部２９の後側に吐出部２８を設けるようにした。また、吸気部２９を逆Ｌ字状に形成して、その吸気口３３をノズルケース１１の後壁の外面に突出させて、吸気口３３を吐出部２８より後側で開口させるようにした。この場合には、ノズルケース１１の上壁のうち、シールゴム１００の周囲の壁に開口を形成しておくことにより、スイッチノブ４と本体ケース１の隙間からスイッチノブ４の内面側へ入込んだ空気を吸気口３３から吸込むことができる。なお、吸気口３３は、吐出部２８より後側に位置している限り、任意の方向へ向かって開口させることができる。例えば、吸気部２９を逆Ｌ字状に形成したうえで、その吸気口３３を前向き、あるいは横向きに開口させることができ、こうした場合に、吸気口３３の開口位置が吐出部２８より後側に位置していればよい。
【００７２】
上記の実施例では吸気部２９を逆Ｌ字状に形成したが、その必要はない。例えば、図３に示す状態の吸気部２９に、弾性変形可能な吸気用の吸気管を接続し、その開口端（吸気口３３）がスイッチノブ４の内面側の空間に臨む状態で、吸気管を導出することができる。このように、吸気口３３をスイッチノブ４の内面側の空間に配置すると、エアーポンプ１４の吸気作用に伴ってノズルケース１１の内部が負圧になるのを解消できるので、ミストノズル１２におけるミストの生成を効果的に行うことができる。また、吸気管の開口端はスイッチノブ４で覆われるので、吸気管を追加することでミスト器の外観上の印象が損なわれることはない。また、ノズルケース１１の上壁の下面側に吸気部２９と同様の継手部を設けておき、この継手部と吸気部２９とを弾性変形可能な吸気管で接続して、スイッチノブ４の内面側の空間から空気を吸い込むことができる。
【００７３】
図１１はエアーポンプ１４のさらに別の実施例を示している。そこでは、リニアモーター（モーター）１５の上下それぞれにダイヤフラムポンプ（エアーポンプ）１４が配置してある電磁ポンプで加圧空気を供給するようにした。リニアモーター１５は、ハウジング１４０の内部に、Ｅ型コア１４１とバックコア１４２を対向配置し、両コア１４１・１４２の間に振動子１４３を配置して構成してある。両コア１４１・１４２のうち、Ｅ型コア１４１のみにコイルが巻回してある。振動子１４３には永久磁石が組付けてあり、両コア１４１・１４２と永久磁石との吸引作用あるいは反発作用で振動子１４３を往復駆動させて、振動子１４３の上下両端に設けたダイヤフラム１４４を上下操作し、吸気部２９から吸込んだ空気を加圧して吐出部２８から送出する。符号１４５は吸気弁、符号１４６は排気弁である。
【００７４】
図１２は噴霧器のさらに別の実施例を示す。そこでは、後室１Ｂの上部にエアーポンプ１４とモーター１５を前後に隣接する状態で配置し、後室１Ｂの下部に電池１６を含む電装品部１７を収容した。また、吸気部２９に吸気管１４８を接続し、吸気管１４８の全体をＪ字状に折曲げてその吸気口３３をモーター１５の下方に位置させた。このように、エアーポンプ１４とモーター１５は、本体ケース１の内部の後半側に設けてあればよい。また、電装品部１７におけ（２次）電池１６、回路基板１８、樹脂モールド１９などの機器の配置形態は、必要に応じて変更することができる。
【００７５】
上記の実施例では、本体ケース１の断面形状を前後に長いだ円形状に形成したが、その必要はなく、例えば前後に長い長円状や卵形などの断面形状に形成してあってもよい。本体ケース１は、前後、左右、あるいは上下に２分割されたケース体を接合して縦長筒状に形成することができる。区分壁２３に位置決め部１３５と位置決めガイド１３６を形成したがその必要はなく、前室１Ａの上部の内周面に形成してあればよい。例えば、本体ケース１の前壁１ａおよび左右壁の内面に複数のリブ状の突起を形成して、各突起を位置決め部１３５および位置決めガイド１３６として機能させることができる。
【００７６】
底蓋１１１は、内底壁２４あるいは本体ケース１に対して着脱可能に圧嵌装着することができる。また、底蓋１１１のロック機構は、実施例で説明した構造である必要はなく、操作ノブ１１３を回転操作して、係合腕１１９を蓋係合枠１２０に係脱する構造とすることができる。係合腕１１９は少なくとも１個設けてあればよい。本発明に係る噴霧器は、個人用と業務用のいずれであっても使用でき、のどおよび口腔内に薬液のミストを噴霧供給する吸入器としても使用することができる。
【符号の説明】
【００７７】
１  本体ケース
３  ミスト口
４  スイッチノブ
５  グリップ部
１２  ミストノズル
１３  タンク
１４  エアーポンプ
１５  モーター
１６  電池（２次電池）
２１  電極ユニット
２３  区分壁
４７  連結具
５７  ノズル口
１１１  底蓋
【図１】
2015051193.tif 000003
【図２】
2015051193.tif 000004
【図３】
2015051193.tif 000005
【図４】
2015051193.tif 000006
【図５】
2015051193.tif 000007
【図６】
2015051193.tif 000008
【図７】
2015051193.tif 000009
【図８】
2015051193.tif 000010
【図９】
2015051193.tif 000011
【図１０】
2015051193.tif 000012
【図１１】
2015051193.tif 000013
【図１２】
2015051193.tif 000014